(57)【要約】【課題】位置情報の通知システムは、利用者の負担が大きいとともに、サービスを利用できる地域が限定される。【解決手段】通信端末は、情報収集装置との通信機能を備えた通信端末であって、通信端末に関する第１の情報を生成する第１の情報生成手段と、第１の情報を、直接の通信によって情報収集装置へ送信する第１の通信手段と、を備える。【選択図】図８
2014183444.tif 000002
【特許請求の範囲】
【請求項１】
情報収集装置との通信機能を備えた通信端末であって、
前記通信端末に関する第１の情報を生成する第１の情報生成手段と、
前記第１の情報を、直接の通信によって前記情報収集装置へ送信する第１の通信手段と、
を備えることを特徴とする、通信端末。
【請求項２】
前記第１の情報は前記通信端末の位置を示す第１の位置情報を含むことを特徴とする、請求項１に記載された通信端末。
【請求項３】
前記第１の情報は、前記情報収集装置から受信した信号の受信レベルを含むことを特徴とする、請求項１又は２に記載された通信端末。
【請求項４】
通信端末との通信機能を備えた情報収集装置であって、
直接の通信によって前記通信端末から第２の情報を受信する第２の通信手段と、
前記第２の情報を表示する表示手段と、
を備えることを特徴とする、情報収集装置。
【請求項５】
前記第２の情報は前記通信端末の位置を示す第２の位置情報を含むことを特徴とする、請求項４に記載された情報収集装置。
【請求項６】
前記情報収集装置の位置を示す第３の位置情報を生成する第２の位置情報生成部と、
前記第２の位置情報及び前記第３の位置情報に基づいて、前記通信端末と前記情報収集装置との相対的な位置関係を示す情報を含む第３の情報を生成する第２の情報生成手段と、をさらに備え、
前記表示手段は前記第３の情報を表示する、
ことを特徴とする、請求項５に記載された情報収集装置。
【請求項７】
前記表示手段は、前記第２の情報に前記情報収集装置から受信した信号の受信レベルが含まれており、前記受信レベルが所定の値よりも低い場合には、警報表示を行うことを特徴とする、請求項４乃至６のいずれかに記載された情報収集装置。
【請求項８】
請求項１乃至３のいずれかに記載された通信端末と、請求項４乃至７のいずれかに記載された情報収集装置とが直接の通信により接続されたことを特徴とする、情報収集システム。
【請求項９】
通信端末の情報を含む第１の情報を生成し、
前記第１の情報を、直接の通信によって情報収集装置へ送信する、
ことを特徴とする通信端末の制御方法。
【請求項１０】
直接の通信によって通信端末から第２の情報を受信し、
前記第２の情報を表示する、
ことを特徴とする情報収集装置の制御方法。
【発明の詳細な説明】
【技術分野】
【０００１】
本発明は、通信端末、情報収集装置及びそれらの制御方法に関し、特に、通信端末の情報を収集して情報収集装置で表示するための通信端末、情報収集装置及びそれらの制御方法に関する。
【背景技術】
【０００２】
通信機能を備えた通信端末が自身の位置情報を取得するための手段として、ＧＰＳ（global positioning system）が知られている。そして、通信端末と通信可能な情報収集装置は、通信端末が取得した位置情報を収集することによって、複数の通信端末の現在位置を収集することが可能となる。
【０００３】
例えば、特許文献１には、ＧＰＳを利用して現在の位置を測位する機能を備えた移動局と、他の移動局からの要求により、移動局から位置情報を収集する位置確認サービスセンターとを備えるシステムが記載されている。
【先行技術文献】
【特許文献】
【０００４】
【特許文献１】特開２００５−１８４０６５号公報（段落［００１３］、図１）
【発明の概要】
【発明が解決しようとする課題】
【０００５】
特許文献１に記載されたシステムにおいて、通信端末（移動局）から情報収集装置（位置確認サービスセンター）への位置情報の通知は、移動通信網が備える基地局及び移動通信交換ノードを経由して行われる。このように、一般的には、通信端末の情報を情報収集装置へ転送するためには、通信事業者の通信網が利用される。例えば、通信事業者が提供する位置情報通知サービスでは、サービスの利用者は、携帯電話やＰＨＳ（personal handy phone system）に通信事業者の通信網を利用してサービスの提供を受ける。
【０００６】
従って、特許文献１に記載されたシステムを利用する際には、利用者は通信事業者と契約を締結し、その契約に基づいて利用者が移動通信網の基本料金や回線の利用時間に基づく使用料金を通信事業者に支払う必要がある。また、特許文献１に記載されたシステムでは、通信端末が基地局と通信できない地域では、たとえ通信端末が情報収集装置の近隣に存在していても、情報収集装置は、通信端末から位置情報を収集できない。
【０００７】
このため、特許文献１に記載された位置情報の収集システムには、利用者の負担が大きいとともに、サービスを利用できる地域が限定されるという課題があった。
【０００８】
（発明の目的）
本発明の目的は、上述した課題を解決するための通信端末、情報収集装置及びそれらの制御方法を提供することにある。
【課題を解決するための手段】
【０００９】
本発明の通信端末は、情報収集装置との通信機能を備えた通信端末であって、前記通信端末に関する第１の情報を生成する第１の情報生成手段と、前記第１の情報を、直接の通信によって前記情報収集装置へ送信する第１の通信手段と、を備えることを特徴とする。
【００１０】
本発明の情報収集装置は、通信端末との通信機能を備えた情報収集装置であって、直接の通信によって前記通信端末から第２の情報を受信する第２の通信手段と、前記第２の情報を表示する表示手段と、を備えることを特徴とする。
【００１１】
本発明の通信端末の制御方法は、通信端末の情報を含む第１の情報を生成し、前記第１の情報を、直接の通信によって情報収集装置へ送信することを特徴とする。
【００１２】
本発明の情報収集装置の制御方法は、直接の通信によって通信端末から第２の情報を受信し、前記第２の情報を表示することを特徴とする。
【発明の効果】
【００１３】
本発明の通信端末、情報収集装置及びそれらの制御方法は、通信端末の情報を収集して情報収集装置で表示するためのシステムにおいて、利用できる地域が限定されることが少なく、かつ利用者の負担も小さくなるという効果を奏する。
【図面の簡単な説明】
【００１４】
【図１】第１の実施形態の情報収集システムの構成を示す図である。
【図２】端末の構成を示すブロック図である。
【図３】表示装置の構成を示すブロック図である。
【図４】端末と表示装置との間の通信シーケンスを示す図である。
【図５】表示装置が端末の位置を表示する例を示す図である。
【図６】幼児が迷子になった可能性があることを示す画面表示の例を示す図である。
【図７】第２の実施形態の通信端末の構成を示す図である。
【図８】第３の実施形態の情報収集装置の構成を示す図である。
【発明を実施するための形態】
【００１５】
（第１の実施形態）
本発明の第１の実施形態について説明する。図１は、本発明の第１の実施形態の情報収集システムの構成を示す図である。情報収集システム１００は、ｎ台（ｎは正の整数）の端末１０１〜１０ｎ及び表示装置２００を備える。
【００１６】
端末１０１〜１０ｎは、ＧＰＳ機能及び無線通信機能を備える移動可能な通信端末であり、例えば、スマートフォンや携帯電話である。端末１０１〜１０ｎの無線通信機能は、表示装置２００との間で、携帯電話の通信網やインターネットを介さない直接の通信を実現する。本実施形態では、端末１０１〜１０ｎは、無線通信機能として、ＷｉＦｉ（Wireless Fidelity、登録商標）のクライアント機能を備えるものとして説明する。しかし、端末１０１〜１０ｎの無線通信機能は、端末１０１〜１０ｎと表示装置２００とが直接通信可能なものであればよく、ＷｉＦｉには限定されない。
【００１７】
端末１０１〜１０ｎは、表示装置２００からの指示により、測位によって得られた自端末の位置情報を表示装置２００に送信する。端末１０１〜１０ｎのこのような機能は、端末１０１〜１０ｎに搭載されたプログラムによって実現されてもよい。
【００１８】
表示装置２００は、端末の情報を収集する機能を備える情報収集装置であり、例えば、スマートフォンやタブレット形コンピュータである。表示装置２００と端末１０１〜１０ｎとは、携帯電話網やインターネットといった通信網を介さずに、無線通信により直接に通信が可能である。表示装置２００は、端末１０１〜１０ｎと直接接続され、端末１０１〜１０ｎから各端末の位置情報を受信する。本実施形態では、表示装置２００はＷｉＦｉのアクセスポイント（access point、ＡＰ）機能を備える。しかし、表示装置２００の無線通信機能は、端末１０１〜１０ｎの無線通信機能と同様に、ＷｉＦｉには限定されない。
【００１９】
表示装置２００は、受信した各端末１０１〜１０ｎのそれぞれの位置を画面に表示する。表示装置２００のこのような機能は、プログラムにより実現されてもよい。
【００２０】
図２は、端末１０１の構成を示すブロック図である。端末１０１〜１０ｎの構成はいずれも同様であるので、図２では端末１０１について説明する。
【００２１】
端末１０１は、ＧＰＳ部１１０、ＷｉＦｉ通信部１２０及び制御部１３０を備える。ＧＰＳ部１１０は、ＧＰＳ衛星からの電波を受信して端末１０１の位置情報を取得する。ＷｉＦｉ通信部１２０は、ＷｉＦｉクライアントの機能を備え、ＷｉＦｉ  ＡＰ（access point、アクセスポイント）と直接通信を行う。ＷｉＦｉ通信部１２０には、表示装置２００から受信したＷｉＦｉ信号の受信レベルの閾値が設定される。制御部１３０は、ＧＰＳ部１１０とＷｉＦｉ通信部１２０との間でやりとりされるデータを処理して相手先に出力するとともに、端末１０１の全体を制御する。制御部１３０は、ＣＰＵ（central processing unit）及びメモリを備えていてもよい。また、制御部１３０は、メモリに記憶されたプログラムによってＣＰＵを制御して端末１０１の機能を実現してもよい。なお、制御部１３０の機能は、ＷｉＦｉ通信部１２０など、他の機能ブロックに含まれていてもよい。
【００２２】
図３は、表示装置２００の構成を示すブロック図である。表示装置２００は、ＧＰＳ部２１０、ＷｉＦｉ通信部２２０、制御部２３０及び表示部２４０を備える。ＧＰＳ部２１０は、ＧＰＳ衛星からの電波を受信して表示装置２００の位置情報を取得する。ＷｉＦｉ通信部２２０は、ＷｉＦｉ  ＡＰの機能を備え、ＷｉＦｉクライアントと直接通信を行う。
【００２３】
ＷｉＦｉ通信部２２０には、端末１０１〜１０ｎの情報及び端末との距離の閾値が記憶される。端末との距離の閾値は、表示装置２００からある程度以上離れてしまった端末を区別して表示するために用いられる。距離の閾値としては、端末１０１と表示装置２００と直接の通信が可能と思われるおおよその距離よりも短い距離（例えば３００ｍ）が設定されてもよい。距離の閾値をこのように設定することで、表示装置２００の利用者は、端末１０１〜１０ｎが直接通信不可能な距離まで離れてしまう前に、端末１０１〜１０ｎが表示装置２００から離れた位置にいることを知ることができる。端末１０１〜１０ｎの情報には、例えば、端末の利用者名、端末の電話番号が含まれる。また、端末１０１〜１０ｎの情報は、端末に固有の番号や記号を含んでいてもよい。
【００２４】
表示部２４０は、例えば液晶ディスプレイであり、ＷｉＦｉ通信部２２０で受信された端末１０１〜１０ｎ及び表示装置２００の位置情報に基づいて、端末１０１〜１０ｎの位置を表示する。本実施形態では、表示部２４０は、端末１０１〜１０ｎから受信した位置情報と、ＧＰＳ部２１０が取得した表示装置２００の位置情報とを用いて、表示装置２００に対する端末１０１〜１０ｎの相対的な距離と方向とを表示する。さらに、表示部２４０は、端末１０１〜１０ｎの絶対的な位置（例えば各端末がＧＰＳ部１１０により取得した緯度、経度及び高度）を表示する機能を備えていてもよい。
【００２５】
制御部２３０は、ＧＰＳ部２１０、ＷｉＦｉ通信部２２０及び表示部２４０の間でやりとりされるデータを処理して相手先に出力するとともに、表示装置２００の全体を制御する。また、制御部２３０は、端末１０１〜１０ｎの位置情報及び表示装置２００の位置情報に基づいて、表示部２４０に表示させるデータを生成する。制御部２３０は、ＣＰＵ及びメモリを備え、メモリに記憶されたプログラムによってＣＰＵを制御して表示装置２００の機能を実現させてもよい。なお、制御部２３０の機能は、ＷｉＦｉ通信部２２０など、他の機能ブロックに含まれていてもよい。
【００２６】
図４は、端末１０１と表示装置２００との間の通信シーケンスを示す図である。端末１０２〜１０ｎについても、シーケンスは端末１０１と同様である。
【００２７】
表示装置２００は、端末１０１に対して、ＷｉＦｉ通信部２２０から位置情報送信要求信号を送信する（図４のステップＳ１１）。
【００２８】
端末１０１のＷｉＦｉ通信部１２０は、表示装置２００から位置情報送信要求信号を受信すると、ＧＰＳ部１１０によって端末１０１の位置を測位して位置情報を生成する（ステップＳ２１）。そして、端末１０１は、位置情報及び表示装置２００からＷｉＦｉ信号を受信した際の受信レベルを、ＷｉＦｉ通信部１２０から送信する（ステップＳ２２）。
【００２９】
また、端末１０１は、表示装置２００から受信したＷｉＦｉ信号のレベルが端末に設定されている受信レベルの閾値以下になった場合、その旨を併せて表示装置２００に送信する（ステップＳ２３）。ステップＳ２２とステップＳ２３とは同時に行われてもよい。
【００３０】
ここで、端末１０１は、表示装置２００への位置情報及び受信レベルの通知を、位置情報送信要求信号の受信毎に実施してもよいし、表示装置２００から位置情報送信の停止の指示を受けるまでの間、定期的に継続して行ってもよい。
【００３１】
さらに、端末１０１は、定期的に表示装置２００からの信号の受信状況を確認し、所定の期間、表示装置２００からのＷｉＦｉ信号を受信できなかった場合には、例えばランプの点灯や警報音の発出により、端末１０１の利用者にその旨を報知する（ステップＳ２４）。
【００３２】
表示装置２００は、端末１０１から受信した端末１０１の位置情報と、ＧＰＳ部２１０が取得した自装置の位置情報とに基づいて、表示装置の現在位置から見た端末１０１の位置を表示部２４０に表示する（ステップＳ１２）。例えば、表示装置２００は、端末１０１の方向及び距離を、表示装置２００を中心とした同心円上にアイコンで表示してもよい。表示装置２００は、予め設定されている通信可能距離から、端末１０１との通信可能距離を表示する。
【００３３】
図５は、表示部２４０が端末１０１〜１０ｎの位置を表示する例を示す図である。表示部２４０は、表示装置２００の現在位置を中心とした同心円上に端末１０１〜１０ｎの距離と方向とをアイコンで表示する。表示部２４０は、設定された距離の閾値よりも遠い位置にいる端末が存在する場合には、警報表示を行う。例えば、表示部２４０は、距離の閾値よりも遠い位置にいる端末を他の端末とは異なる色のアイコンで表示したり、アイコンを点滅させて表示したりしてもよい。また、最も外側の同心円が示す距離が、設定された距離の閾値となるように表示してもよい。端末１０１〜１０ｎの位置を図５に示すように表示することにより、表示装置２００を所持する管理者は、自分の周囲にある端末１０１〜１０ｎの位置を容易に把握することができる。
【００３４】
表示装置２００は、端末１０１から送られてくる、端末１０１におけるＷｉＦｉ信号の受信レベルを監視し、端末１０１でＷｉＦｉ信号が受信できなくなる可能性がある場合、あるいは、端末１０１からＷｉＦｉ信号が最低受信レベル以下になった通知を受信した場合、その旨を表示装置２００の管理者に報知する（ステップＳ１３）。
【００３５】
このようにして、表示装置２００の管理者は、表示部に表示された情報をもとに、端末１０１〜１０ｎを所持する利用者の位置を確認できる。
【００３６】
以上説明したように、情報収集システム１００は、端末１０１〜１０ｎ及び表示装置２００が備えるＷｉＦｉ通信機能により、端末１０１〜１０ｎが測位した位置情報を収集して表示装置２００に表示させることができる。そして、情報収集システム１００では、表示装置２００は、位置情報の収集に際して端末１０１〜１０ｎと直接通信を行う。このため、表示装置２００は、通信事業者の通信網が利用できない場合でも、端末１０１〜１０ｎの位置情報を収集して表示させることができる。さらに、端末１０１〜１０ｎ及び表示装置２００の管理者は、位置情報の提供あるいは収集に際して、通信事業者との間の回線契約や回線利用料の支払いを行う必要がない。
【００３７】
すなわち、第１の実施形態の情報収集システム１００は、通信端末の情報を収集して情報収集装置で表示するためのシステムにおいて、利用できる地域が限定されることが少なく、かつ利用者の負担も小さくなるという効果を奏する。
【００３８】
なお、ＷｉＦｉクライアント機能を持つ端末と上位回線（光加入者回線、ＡＤＳＬ回線、ＷｉＭＡＸ（登録商標）回線、ＬＴＥ（登録商標）回線等）とを中継するための中継装置として、ＷｉＦｉ  ＡＰが用いられることがある。表示装置２００は、このような中継装置に、端末１０１〜１０ｎから収集した位置情報を表示させるアプリケーションプログラムをインストールすることによっても実現される。ここで、ＡＤＳＬはasymmetric digital subscriber line、ＷｉＭＡＸはworldwide interoperability for microwave access、ＬＴＥはlong term evolutionの略である。
【００３９】
第１の実施形態の情報収集システム１００は、具体的には以下のような応用が可能である。
【００４０】
（１）端末１０１は、位置を利用者が覚えておきたいものに取り付け、利用者はスマートフォンなどを表示装置２００として用いられる。例えば、ショッピングセンターの駐車場などで、利用者の車に端末１０１を設置することで、利用者は、スマートフォンを用いて自分の車の位置（方向と距離）を確認することができる。
【００４１】
（２）幼児に端末１０１を持たせることで、表示装置２００を持つ保護者は、幼児の位置を知ることができる。図６は、端末１０１を持つ幼児が保護者から離れてしまった場合に、幼児が迷子になった可能性があることを示す画面表示の例を示す図である。図６に示すように、表示装置２００は、端末１０１との距離が設定された閾値よりも遠くなった場合に、幼児が迷子になった可能性がある旨を表示部２４０に表示させてもよい。
（３）グループで登山する場合に、リーダーはスマートフォンを表示装置２００として所持し、グループのメンバーは端末１０１〜１０ｎを所持する。端末１０１〜１０ｎと表示装置２００とは直接通信を行うので、通信事業者の基地局の電波が届かない山岳地帯であっても、リーダーは自分の周囲のグループのメンバーの位置を確認できる。
【００４２】
（第１の実施形態の第１の変形例）
屋内や地下街などでは、端末１０１〜１０ｎ及び表示装置２００が備えるそれぞれのＧＰＳ部１１０、２１０は、ＧＰＳ衛星からの電波を受信することができない。このような場合には、表示装置２００は、端末１０１〜１０ｎから受信したＷｉＦｉ信号の受信レベルや、端末１０１〜１０ｎから通知される、各端末におけるＷｉＦｉ信号の受信レベルに基づいて、端末１０１と表示装置２００との距離を推定して表示してもよい。
【００４３】
さらに、端末１０１及び表示装置２００は、例えば６軸センサーといった、移動方向や加速度が出力される位置センサーを備えていてもよい。６軸センサーは、加速度、角速度、地磁気を検出可能なセンサーである。位置センサーにより、端末１０１及び表示装置２００の、基準となる位置からのそれぞれの移動方向や距離情報が求められる。従って、端末１０１〜１０ｎと表示装置２００とで基準となる位置を同一地点に設定しておき、表示装置２００は、端末１０１〜１０ｎから位置センサーから出力される情報を受信するようにしてもよい。そして、表示装置２００は、自装置及び各端末の位置センサーから出力される情報に基づいて自装置と端末１００との相対的な位置関係を算出して表示部２４０に表示させてもよい。
【００４４】
このように、ＧＰＳ部に代えて位置センサーが用いられた第１の実施形態の変形例においても、端末１０１〜１０ｎ及び表示装置２００は、第１の実施形態と同様の効果を奏する。すなわち、第１の実施形態の変形例も、通信端末の情報を収集して情報収集装置で表示するための情報収集システムにおいて、システムを利用できる地域が限定されることが少なく、かつ利用者の負担も小さくなるという効果を奏する。
【００４５】
（第１の実施形態の第２の変形例）
第１の実施形態では、端末１０１〜１０ｎの位置は表示装置２００にのみ表示される。しかし、表示装置２００は、表示部２４０の表示内容をＷｉＦｉ通信によって端末１０１〜１０ｎに送信してもよい。そして、端末１０１〜１０ｎは、表示部２４０と同様の表示部を備えることにより、表示装置２００に表示されている位置情報を受信して自端末で表示してもよい。これにより、端末１０１〜１０ｎの利用者も、表示装置２００及び他の端末の位置を知ることができる。
【００４６】
（第２の実施形態）
図７は、本発明の第２の実施形態の通信端末５００の構成を示す図である。通信端末５００は、情報生成部５０１と、通信部５０２とを備える。情報生成部５０１は、通信端末の情報を含む第１の情報を生成する。通信部５０２は、生成された第１の情報を、直接の通信によって、図示されない情報収集装置へ送信する。
【００４７】
このような構成を備える通信端末５００は、自端末の情報を直接の通信によって情報収集装置へ送信する。ここで、通信端末５００の利用者は、情報収集装置へ第１の情報を送信するために通信事業者と回線の契約を行う必要がなく、回線の使用料も発生しない。さらに、通信端末５００は、通信事業者の通信網と接続できない地域においても、第１の情報を直接情報収集装置へ送信できる。従って、通信端末５００は、利用できる地域が限定されることが少なくかつ利用者の負担が小さい情報収集システムを構成できるという効果を奏する。
【００４８】
（第３の実施形態）
図８は、本発明の第３の実施形態の情報収集装置６００の構成を示す図である。情報収集装置６００は、表示部６０１と、通信部６０２とを備える。通信部６０２は、直接の通信によって通信端末から第２の情報を受信する。表示部６０１は、受信された第２の情報を表示する。
【００４９】
このような構成を備える情報収集装置６００は、通信端末の第２の情報を直接の通信によって収集し、表示部６０１に表示する。ここで、情報収集装置６００の利用者は、通信端末との通信のために通信事業者と回線の契約を行う必要がなく、回線の使用料も発生しない。さらに、情報収集装置６００は、通信事業者の通信網と接続できない地域においても、通信端末との通信が可能である。従って、情報収集装置６００は、利用できる地域が限定されることが少なくかつ利用者の負担が小さい情報収集システムを構成できるという効果を奏する。
【００５０】
また、第３の実施形態の情報収集装置６００と第２の実施形態の通信端末５００とを直接通信が可能なように配置することで、情報収集システムを構築することも可能である。
【００５１】
以上、実施形態を参照して本願発明を説明したが、本願発明は上記の実施形態に限定されない。本願発明の構成や詳細には、本願発明のスコープ内で当業者が理解し得る様々な変更をすることができる。
【００５２】
なお、本発明は以下の付記のようにも記載されうるが、これらには限定されない。
【００５３】
（付記１）
情報収集装置との通信機能を備えた通信端末であって、
前記通信端末に関する第１の情報を生成する第１の情報生成手段と、
前記第１の情報を、直接の通信によって前記情報収集装置へ送信する第１の通信手段と、
を備えることを特徴とする、通信端末。
【００５４】
（付記２）
前記第１の情報は前記通信端末の位置を示す第１の位置情報を含むことを特徴とする、付記１に記載された通信端末。
【００５５】
（付記３）
前記第１の通信手段は、ＷｉＦｉ（登録商標）のクライアント機能を備えることを特徴とする、付記１又は２に記載された通信端末。
【００５６】
（付記４）
前記第１の情報は、前記情報収集装置から受信した信号の受信レベルを含むことを特徴とする、付記１乃至３のいずれかに記載された通信端末。
【００５７】
（付記５）
前記第１の通信手段は、前記情報収集装置からの信号が所定の期間受信されなかった場合には、前記通信端末の利用者に報知する機能を備えることを特徴とする、付記１乃至４のいずれかに記載された通信端末。
【００５８】
（付記６）
通信端末との通信機能を備えた情報収集装置であって、
直接の通信によって前記通信端末から第２の情報を受信する第２の通信手段と、
前記第２の情報を表示する表示手段と、
を備えることを特徴とする、情報収集装置。
【００５９】
（付記７）
前記第２の情報は前記通信端末の位置を示す第２の位置情報を含むことを特徴とする、付記６に記載された情報収集装置。
【００６０】
（付記８）
前記情報収集装置の位置を示す第３の位置情報を生成する第２の位置情報生成部と、
前記第２の位置情報及び前記第３の位置情報に基づいて、前記通信端末と前記情報収集装置との相対的な位置関係を示す情報を含む第３の情報を生成する第２の情報生成手段と、をさらに備え、
前記表示手段は前記第３の情報を表示する、
ことを特徴とする、付記６又は７に記載された情報収集装置。
【００６１】
（付記９）
前記表示手段は、前記第３の情報が前記通信端末と前記情報収集装置とが所定の距離以上離れていることを示している場合には警報表示を行うことを特徴とする、付記８に記載された情報収集装置。
【００６２】
（付記１０）
前記第２の通信手段は、ＷｉＦｉのアクセスポイント機能を備えることを特徴とする、付記６乃至９のいずれかに記載された情報収集装置。
【００６３】
（付記１１）
前記表示手段は、前記第２の情報に前記情報収集装置から受信した信号の受信レベルが含まれており、前記受信レベルが所定の値よりも低い場合には、警報表示を行うことを特徴とする、付記６乃至１０のいずれかに記載された情報収集装置。
【００６４】
（付記１２）
付記１乃至５のいずれかに記載された通信端末と、付記６乃至１１のいずれかに記載された情報収集装置とが直接の通信により接続されたことを特徴とする、情報収集システム。
【００６５】
（付記１３）
通信端末の情報を含む第１の情報を生成し、
前記第１の情報を、直接の通信によって情報収集装置へ送信する、
ことを特徴とする通信端末の制御方法。
【００６６】
（付記１４）
直接の通信によって通信端末から第２の情報を受信し、
前記第２の情報を表示する、
ことを特徴とする、情報収集装置の制御方法。
【００６７】
（付記１５）
通信端末の情報を含む第１の情報を生成する手順、
前記第１の情報を、直接の通信によって情報収集装置へ送信する手順、
をコンピュータに実行させるための、通信端末の制御プログラム。
【００６８】
（付記１６）
直接の通信によって通信端末から第２の情報を受信する手順、
前記第２の情報を表示する手順、
をコンピュータに実行させるための、情報収集装置の制御プログラム。
【符号の説明】
【００６９】
１００  情報収集システム
１０１〜１０ｎ  端末
１１０、２１０  ＧＰＳ部
１２０、２２０  ＷｉＦｉ通信部
１３０、２３０  制御部
２００  表示装置
２４０  表示部
５００  通信端末
５０１  情報生成部
５０２、６０２  通信部
６００  情報収集装置
６０１  表示部
【図１】
2014183444.tif 000003
【図２】
2014183444.tif 000004
【図３】
2014183444.tif 000005
【図４】
2014183444.tif 000006
【図５】
2014183444.tif 000007
【図６】
2014183444.tif 000008
【図７】
2014183444.tif 000009
【図８】
2014183444.tif 000010